Podtech/llm-jp-corpus-v4-ja_patent huggingface dataset:
【手続補正書】
【提出日】平成22年3月25日(2010.3.25)
【手続補正１】
【補正対象書類名】特許請求の範囲
【補正対象項目名】全文
【補正方法】変更
【補正の内容】
【特許請求の範囲】
【請求項１】
ホース接続入口（１４）と、
フィルターハウジング（６０）であって、
−  気流を受け入れるための気流入口（５０）と、
−  フィルター（７０）を収容するためのキャビティと、
−  前記キャビティ内に配置されたフィルター（７０）と、
−  前記気流入口（５０）と前記フィルターキャビティとの間に延びる気流通路と、
−  前記気流通路を分離された複数の細長いダクト（５１，５２，５３）に区分するように前記気流通路内に位置させられ、各ダクトを前記フィルター（７０）の上流面における前記複数の細長いダクト（５１，５２，５３）のそれぞれに対向している部分に通じさせるために、前記フィルター（７０）の上流面まで延びた、あるいは該上流面に接触している少なくとも１つのベーン（６５ａ，６５ｂ，６５ｃ）と、を備え、
前記気流通路が前記フィルター（７０）の上流面に対して傾斜する方向に前記複数のダクト（５１，５２，５３）に沿って延びている、フィルターハウジング（６０）と、
排気アセンブリと、
前記ホース接続入口（１４）から前記排気アセンブリへの装置を通る気流を生成するための手段と、
前記気流から汚れ及びホコリを分離するための手段と、
を備え、
前記複数の細長いダクト（５１，５２，５３）への気流導入部の中心のそれぞれは、前記気流入口（５０）の中心から異なる距離に位置している真空掃除機。
【請求項２】
請求項１に記載の真空掃除機において、
前記気流通路が前記フィルター（７０）の上流面に対して約１０°の角度をなすように傾斜している真空掃除機。
【請求項３】
請求項１または請求項２に記載の真空掃除機において、
各ベーン（６５ａ，６５ｂ，６５ｃ）が前記気流通路を通る流れの方向において非直線形状を有している真空掃除機。
【請求項４】
請求項３に記載の真空掃除機において、
各ベーン（６５ａ，６５ｂ，６５ｃ）がその長さ全体に亘ってアーチ形状を有している真空掃除機。
【請求項５】
請求項１〜４のいずれかに記載の真空掃除機において、
少なくとも１つの前記ダクト（５１，５２，５３）が分離された２つのダクト入口を有し、該ダクト入口の両方が気流源に通じている真空掃除機。
【請求項６】
請求項１〜５のいずれかに記載の真空掃除機において、
各ダクト（５１，５２，５３）への前記ダクト入口の総横断面積が、それぞれのダクト（５１，５２，５３）が通じるフィルターの上流面の面積に実質的に比例している真空掃除機。
【手続補正書】
【提出日】平成22年1月6日(2010.1.6)
【手続補正１】
【補正対象書類名】特許請求の範囲
【補正対象項目名】全文
【補正方法】変更
【補正の内容】
【特許請求の範囲】
【請求項１】
複数の図柄を図柄列として施した図柄帯を有する可動表示体と、前記可動表示体を複数備えた図柄変動表示装置を有し、遊技媒体の投入に続くゲームの開始操作により内部抽選を実行して複数の前記可動表示体の回転を開始させ、前記可動表示体の停止操作が受け付けられると、前記図柄変動表示装置に１回のゲームの結果を表示し、当該結果に基づいて遊技媒体の払い出しを行う遊技機において、
前記可動表示体の停止状態において前記図柄帯の図柄の一部を視認可能とする図柄表示部と、
前記内部抽選として、各ゲーム毎に予め決められた複数の当選役及びハズレ役のうち少なくとも１つを選出する内部抽選手段と、
前記可動表示体の回転を個々に停止させるべく前記可動表示体の各々について前記停止操作を受け付ける停止操作手段と、
前記停止操作手段による前記停止操作及び前記内部抽選手段による前記内部抽選の結果に基づいて、前記可動表示体の停止を制御する可動表示体停止制御手段と、
前記図柄表示部における前記当選役に対応する図柄の組み合わせ態様としての当選態様が有効となる表示位置に前記当選態様が表示されると、前記当選役に対応する遊技媒体を払い出す遊技媒体払出手段と、
遊技に際し発光させられることで所定の状態を告知するための光ユニットとを備え、
前記可動表示体の図柄帯には、前記当選役としての特定当選役に対応する特定当選態様を構成する図柄が前記図柄列の所定範囲毎に配置され、
前記可動表示体停止制御手段は、前記内部抽選手段により前記特定当選役が選出された場合、前記停止操作手段による前記停止操作に基づき前記所定範囲で引き込み制御を行うことで、前記有効となる表示位置に前記特定当選態様を表示可能な特定当選態様表示手段を有しており、
さらに、
前記内部抽選手段により前記特定当選役が選出され、さらに所定条件が成立しているときには、前記可動表示体の全てが停止する前に前記特定当選役に対応する遊技媒体を払い出す事前払出手段と、
前記事前払出手段にて遊技媒体が事前に払い出されると、前記光ユニットを発光させて、前記事前払い出しを告知する払出告知手段と、を備えている
ことを特徴とする遊技機。
【請求項２】
前記発光ユニットは、
背面から前面に光束を射出する発光部と、
前記発光部の前面に配置され、前記発光部からの光束が入射される板状の導光板とを有し、
前記導光板には、前記発光部からの光束の少なくとも一部を遮る部位に、前記光束を拡散させるための空隙が形成されている
ことを特徴とする請求項１に記載の遊技機。
【請求項３】
前記空隙の壁面の少なくとも一部は、該空隙への前記光束を全反射させる平面形状となっている
ことを特徴とする請求項２に記載の遊技機。
【手続補正書】
【提出日】平成22年1月22日(2010.1.22)
【手続補正１】
【補正対象書類名】特許請求の範囲
【補正対象項目名】全文
【補正方法】変更
【補正の内容】
【特許請求の範囲】
【請求項１】
シート状フィルムの表面に電子写真方式により画像を形成する画像形成装置と、
前記シート状フィルムと支持体とを、少なくとも前記シート状フィルムの前記画像が形成された画像形成面と前記支持体の被ラミネート面とが対向するように積層した積層体とすると共に該積層体の端部を丁合いする丁合装置と、
前記積層体を加熱及び加圧する加熱加圧部材を有し、該加熱加圧部材によって前記支持体を前記シート状フィルムによってラミネートするラミネート装置と、
前記丁合装置の異常を検知する第１の検知装置と、
前記ラミネート装置の異常を検知する第２の検知装置と、
前記第１の検知装置及び前記第２の検知装置のうちの少なくとも一方が異常を検知したときに、前記画像形成装置における画像形成を待機するように前記画像形成装置を制御する制御装置と、
を備えたことを特徴とする画像記録体の作製装置。
【請求項２】
前記制御装置が、前記第２の検知装置により前記ラミネート装置の異常を検知したときに、前記画像形成装置における画像形成を待機するように前記画像形成装置を制御すると共に、前記丁合装置における前記積層体の端部の丁合いを待機するように前記丁合装置を制御することを特徴とする請求項１に記載の画像記録体の作製装置。
【請求項３】
前記ラミネート装置は、外周面に接合領域を有し、前記積層体を挟持搬送する一対の管状部材を含み、
前記第２の検知装置は、前記一対の管状部材各々の前記接合領域を検出する検出装置を含み、該検出装置によって前記接合領域各々が予め定められた所定時間毎に検出されなかったときに、前記ラミネート装置の異常を検知することを特徴とする請求項１に記載の画像記録体の作製装置。
【手続補正２】
【補正対象書類名】明細書
【補正対象項目名】００１１
【補正方法】変更
【補正の内容】
【００１１】
請求項１に係る発明は、シート状フィルムの表面に電子写真方式により画像を形成する画像形成装置と、前記シート状フィルムと支持体とを、少なくとも前記シート状フィルムの前記画像が形成された画像形成面と前記支持体の被ラミネート面とが対向するように積層した積層体とすると共に該積層体の端部を丁合いする丁合装置と、前記積層体を加熱及び加圧する加熱加圧部材を有し、該加熱加圧部材によって前記支持体を前記シート状フィルムによってラミネートするラミネート装置と、前記丁合装置の異常を検知する第１の検知装置と、前記ラミネート装置の異常を検知する第２の検知装置と、前記第１の検知装置及び前記第２の検知装置のうちの少なくとも一方が異常を検知したときに、前記画像形成装置における画像形成を待機するように前記画像形成装置を制御する制御装置と、を備えたことを特徴とする画像記録体の作製装置である。
【手続補正書】
【提出日】平成22年2月1日(2010.2.1)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
前記遊技領域に向けて打ち込まれた遊技球を受け入れ困難な閉状態と当該閉状態よりも遊技球を受け入れ容易な開状態との間で開閉動作可能な開閉装置と、
前記遊技領域に向けて打ち込まれた遊技球の入球確率が高められるように動作可能な可動部材を有して設けられる始動口と、
前記始動口に遊技球が入球されることに基づいて大当たりについての当落にかかる抽選処理を行う抽選手段と、
前記抽選手段により前記大当たりが当選されたとき、前記開閉装置が開閉動作される大当たり遊技を行う大当たり遊技実行手段と、を備え、
前記抽選手段は、前記可動部材が動作するときの動作態様が最初の電源投入時と同様とされるノーマル遊技状態において、当該ノーマル遊技状態に対応した通常演出が行われる状況のもとで、前記最初の電源投入時に採用される第１の当選確率のほか、該第１の当選確率よりも遊技者に有利な第２の当選確率をもって前記抽選処理を行う
ことを特徴とする遊技機。
【請求項２】
前記抽選手段は、前記始動口への遊技球の入球があった旨判断されることに基づいて乱数を取得し、該取得した乱数に基づいて前記抽選処理を行うものである
請求項１に記載の遊技機。
【請求項３】
遊技者が操作可能な操作ハンドルが設けられてなり、該操作ハンドルの操作に応じて前記遊技領域に遊技球が打ち込まれる
請求項１または２に記載の遊技機。
【手続補正書】
【提出日】平成22年2月1日(2010.2.1)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
前記遊技領域に向けて打ち込まれた遊技球を受け入れ困難な閉状態と当該閉状態よりも遊技球を受け入れ容易な開状態との間で開閉動作可能な開閉装置と、
前記遊技領域に向けて打ち込まれた遊技球の入球確率が高められるように動作する可動部材を有して設けられる始動口と、
前記始動口に遊技球が入球されることに応じて、大当たりについての当落にかかる抽選処理を含めて遊技の進行にかかる複数の処理をデータメモリに格納された制御データに基づいて順次実行する主制御手段と、
所定の画像が演出表示される表示面を有する演出画像表示装置と、
前記主制御手段による前記抽選処理の結果に応じた演出画像が前記演出画像表示装置の表示面に表示される演出制御を行う副制御手段と、を備え、
前記抽選処理にて前記大当たりが当選されたときは、前記開閉装置が開閉動作される大当たり遊技が行われる遊技機であって、
前記大当たりは、当該当たりに当選した旨を示す演出画像が前記演出画像表示装置の表示面に表示される契機となるノーマル出玉当たりと、当該当たりに当選した旨を示す演出画像が前記演出画像表示装置の表示面に表示される契機とはならないノーマル状態移行当たりと、を含むものであり、
前記主制御手段は、
前記始動口に遊技球が入球されることに応じて、遊技状態が維持される状態維持当たりを選出するか否かの決定処理を行う状態維持当たり選出手段、及び
前記抽選処理にて前記ノーマル出玉当たりが当選されたとき、前記副制御手段によって前記大当たりに当選した旨を示す演出画像が前記演出画像表示装置の表示面に表示される状況のもとで前記開閉装置を開閉動作させる第１の遊技実行手段、及び
前記抽選処理にて前記ノーマル状態移行当たりが当選されたとき、前記副制御手段によって前記大当たりに当選した旨を示す演出画像が前記演出画像表示装置の表示面に表示されない状況のもとで前記開閉装置を開閉動作させる第２の遊技実行手段、及び
前記決定処理にて前記状態維持当たりが選出されたとき、前記第２の遊技実行手段による大当たり遊技に近似させて前記開閉装置を開閉動作させる近似遊技実行手段、及び
前記ノーマル出玉当たり及び前記ノーマル状態移行当たりのいずれかの当選に応じた大当たり遊技が行われた後に、前記可動部材が動作するときの動作態様が前記データメモリが初期化された状態にあるイニシャル時と同様とされるノーマル遊技状態に移行させる遊技状態移行手段、及び
前記ノーマル状態移行当たりの当選を実行契機とする大当たり遊技が行われた後の所定期間は、前記イニシャル時に採用される大当たりの当選確率Ａよりも高確率とされた当選確率Ｂをもって前記抽選処理を行う高確抽選手段を備えるものであり、
前記副制御手段は、
前記ノーマル遊技状態において、前記抽選処理にて前記ノーマル状態移行当たりが当選されること、及び前記決定処理にて前記状態維持当たりが選出されることのいずれかの条件が満たされたときは、特定の演出条件を達成すべき旨の指令が前記演出画像表示装置の表示面中に演出表示される状態である高期待指令演出モードに移行させる演出制御を行う高期待演出制御手段を備え、
前記高期待演出制御手段による前記高期待指令演出モード中に前記ノーマル出玉当たりが当選されたときは、前記演出画像表示装置の表示面中に演出表示されている前記特定の演出条件が達成されるように前記演出制御を行うことによって前記大当たりに当選したことを遊技者に示唆するようにした
ことを特徴とする遊技機。
【請求項２】
前記主制御手段は、前記始動口への遊技球の入球があった旨判断されることに基づいて乱数を取得し、該取得した乱数に基づいて前記抽選処理を行うものである
請求項１に記載の遊技機。
【請求項３】
遊技者が操作可能な操作ハンドルが設けられてなり、該操作ハンドルの操作に応じて前記遊技領域に遊技球が打ち込まれる
請求項１または２に記載の遊技機。
【手続補正書】
【提出日】平成22年1月6日(2010.1.6)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
前記遊技領域に向けて遊技球を打ち込むための発射装置と、
前記発射装置による遊技球の打ち込みを指示するための操作手段と、
前記遊技領域に設けられ、遊技球が入球可能な始動口と、
装飾図柄の変動表示を含む演出表示を行うための演出画像表示装置と、
前記変動表示のパターンである複数の変動パターンを記憶する変動情報記憶手段と、
前記遊技盤の遊技領域に設けられ、遊技球を受け入れ困難な閉状態と当該閉状態よりも遊技球を受け入れ容易な開状態とに変化可能な特別入賞口と、
少なくとも前方から視認可能な役物演出空間と、
前記役物演出空間に配置される役物として、リンク機構を介さず独立してなる可動演出部材と、
前記役物演出空間において、前記可動演出部材を移動可能な演出部材移動手段と、
前記始動口への遊技球の入球があったか否かの判断を行う始動判断手段、
前記始動判断手段により遊技球の入球が判断されることに基づき、内部的な抽選を行う抽選手段、
前記抽選手段による抽選に当選すると、前記特別入賞口の開閉動作を行う特別遊技を実行する特別遊技実行手段、
を少なくとも有する主制御手段と、
前記主制御手段に電気的に接続され、
前記抽選手段による抽選結果に応じ前記変動情報記憶手段から読み出される変動パターンに基づく演出表示を前記演出画像表示装置に行う演出画像表示制御手段、
前記演出部材移動手段を介し前記遊技盤に沿って二次元的に前記可動演出部材の位置をコントロールする演出部材制御手段、
を少なくとも有する副制御手段と、
を備えている
ことを特徴とする遊技機。
【請求項２】
前記役物演出空間は、遊技領域に設けられている
ことを特徴とする請求項１に記載の遊技機。
【請求項３】
前記役物演出空間は、当該役物演出空間を通して前記演出画像表示装置における演出表示が視認可能となるよう当該演出画像表示装置の前方に設けられている
ことを特徴とする請求項２に記載の遊技機。
【手続補正書】
【提出日】平成22年1月6日(2010.1.6)
【手続補正１】
【補正対象書類名】特許請求の範囲
【補正対象項目名】全文
【補正方法】変更
【補正の内容】
【特許請求の範囲】
【請求項１】
複数種類の図柄を施した図柄帯が付された可動表示体と、前記可動表示体を複数備えた図柄変動表示装置を有し、前記複数の可動表示体を回転させて前記図柄変動表示装置の変動を開始させる始動操作部と、前記複数の可動表示体の回転を順次停止させる操作可能な複数の停止操作部と
を併設して備え、遊技価値の投入と遊技者の始動操作により複数の前記可動表示体の変動を開始させ、全ての前記可動表示体の停止操作が受け付けられると、前記図柄変動表示装置に１回のゲームの結果を表示する遊技機において、
１回のゲームごとに予め決められた複数の当選役及びハズレ役の中からいずれかを選び出す抽選を行う内部抽選手段と、
前記内部抽選手段による内部抽選の結果に基づいて複数の前記可動表示体の停止を制御する可動表示体停止制御手段と、
複数の前記可動表示体の回転が停止状態となると、前記可動表示体に付された図柄帯上の図柄を所定個数分の図柄群として前記図柄変動表示装置内の所定箇所に表示可能とする図柄表示部と、
前記図柄表示部内に表示された所定個数分の図柄群を複数の前記可動表示体にまたがって見た場合に、各々の前記可動表示体について少なくとも１つの図柄を選び出してできる組み合わせ態様のうち、前記当選役に対応する図柄の組み合わせ態様が表示されたときにその組み合わせ態様を有効とする表示位置を決定する有効表示位置決定手段と、
全ての前記可動表示体が停止した場合、前記有効表示位置決定手段により決定された前記有効表示位置に前記当選役に対応する図柄の組み合わせ態様が表示されたか否かを判定する当選役図柄表示判定手段と、
前記内部抽選の結果として選び出される当選役のうち、同じ遊技特典に対応する当選役として第１当選役および第２当選役を少なくとも有し、
前記図柄表示部内に前記第１当選役に対応する図柄の組み合わせ態様が表示されたことが前記当選役図柄表示判定手段により判定されると、前記第１当選役及び前記第２当選役に共通する前記遊技特典に加えてさらに追加の遊技特典を付与する追加遊技特典付与手段と、
前記複数の停止操作部にて受け付けられる所定の停止操作の順番を予め記憶しておく停止順記憶手段と、
前記内部抽選の結果として第１当選役が選び出された場合、前記停止順記憶手段により予め記憶された停止操作の順番に合致した場合のみ当該ゲームにて最終的に第１当選役に対応する図柄の組み合わせ態様が表示されることを許容する選択決定手段と、
前記選択決定手段により前記第１当選役に対応する図柄の組み合わせ態様を表示されないことが決定された場合、最終的に前記第２当選役に対応する図柄の組み合わせ態様を表示させる前記可動表示体の停止を制御する対応図柄変更停止制御手段と
を具備したことを特徴とする遊技機。
【請求項２】
前記対応図柄変更停止制御手段は、前記第１当選役に対応する図柄の組み合わせ態様が表示可能な前記可動表示体の停止操作が受け付けられた場合であっても、第１当選役に対応する図柄を回避する非選択図柄回避手段をさらに備え、前記非選択図柄回避手段により前記第１当選役に対応する図柄が回避されると、当該可動表示体に必ず前記第２当選役に対応する図柄を表示させる
ことを特徴とする請求項１に記載の遊技機。
【請求項３】
前記対応図柄変更停止制御手段は、前記第１当選役に対応する図柄の組み合わせ態様が表示不可能な前記可動表示体の停止操作が受け付けられた場合、当該可動表示体に必ず前記第２当選役に対応する図柄を表示させる
ことを特徴とする請求項１または請求項２に記載の遊技機。
【手続補正書】
【提出日】平成22年1月6日(2010.1.6)
【手続補正１】
【補正対象書類名】特許請求の範囲
【補正対象項目名】全文
【補正方法】変更
【補正の内容】
【特許請求の範囲】
【請求項１】
複数種類の図柄を施した図柄帯が付された可動表示体と、前記可動表示体を複数備えた図柄変動表示装置を有し、前記複数の可動表示体を回転させて前記図柄変動表示装置の変動を開始させる始動操作部と、前記複数の可動表示体の回転を順次停止させる操作可能な複数の停止操作部と
を併設して備え、遊技価値の投入と遊技者の始動操作とにより複数の前記可動表示体の変動を開始させ、全ての前記可動表示体の停止操作が受け付けられると、前記図柄変動表示装置に１回のゲームの結果を表示する遊技機において、
１回のゲームごとに予め決められた複数の当選役及びハズレ役の中からいずれかを選び出す抽選を行う内部抽選手段と、
前記内部抽選手段による内部抽選の結果に基づいて複数の前記可動表示体の停止を制御する可動表示体停止制御手段と、
複数の前記可動表示体の回転が停止状態となると、前記可動表示体に付された図柄帯上の図柄を所定個数分の図柄群として前記図柄変動表示装置内の所定箇所に表示可能とする図柄表示部と、
前記図柄表示部内に表示された所定個数分の図柄群を複数の前記可動表示体にまたがって見た場合に、各々の前記可動表示体について少なくとも１つの図柄を選び出してできる組み合わせ態様のうち、前記当選役に対応する図柄の組み合わせ態様が表示されたときにその組み合わせ態様を有効とする表示位置を決定する有効表示位置決定手段と、
全ての前記可動表示体が停止した場合、前記有効表示位置決定手段により決定された前記有効表示位置に前記当選役に対応する図柄の組み合わせ態様が表示されたか否かを判定する当選役図柄表示判定手段と、
前記内部抽選の結果として選び出される当選役のうち、同じ遊技特典に対応する当選役として第１当選役および第２当選役を少なくとも有し、
前記図柄表示部内に前記第１当選役に対応する図柄の組み合わせ態様が表示されたことが前記当選役図柄表示判定手段により判定されると、前記第１当選役及び前記第２当選役に共通する前記遊技特典に加えてさらに追加の遊技特典を付与する追加遊技特典付与手段と、
前記内部抽選の結果として第１当選役が選び出された場合、当該ゲームにて最終的に第１当選役に対応する図柄の組み合わせ態様が表示されるか否かを選択的に決定する選択決定手段と、
前記選択決定手段により前記第１当選役に対応する図柄の組み合わせ態様を表示されないことが決定された場合、最終的に前記第２当選役に対応する図柄の組み合わせ態様を表示させる前記可動表示体の停止を制御する対応図柄変更停止制御手段と
を具備したことを特徴とする遊技機。
【請求項２】
前記内部抽選の結果として選び出される当選役のうち、前記第１当選役及び前記第２当選役とは別に、所定期間に投入される遊技価値の総数に対して付与される遊技価値の総数の割合が低い通常遊技状態とは異なる特別遊技状態に移行させる契機となる特別当選役を有し、前記特別当選役を契機として前記通常遊技状態から前記特別遊技状態にて遊技状態を移行させたうえでゲームの進行を制御する特別遊技状態制御手段をさらに備えた
ことを特徴とする請求項１に記載の遊技機。
【請求項３】
前記追加遊技特典付与手段は、所定の当選役についての当選確率を所定の高水準まで向上させた状態を複数のゲームにわたり継続させる高水準ゲーム制御手段をさらに備え、前記高水準ゲーム制御手段は、前記通常遊技状態に比べて所定期間に投入される遊技価値の総数に対して付与される遊技価値の総数の割合が高い高水準ゲーム状態に遊技状態を移行させたうえでゲームの進行を制御する
ことを特徴とする請求項１または請求項２に記載の遊技機。
【手続補正書】
【提出日】平成22年1月5日(2010.1.5)
【手続補正１】
【補正対象書類名】特許請求の範囲
【補正対象項目名】全文
【補正方法】変更
【補正の内容】
【特許請求の範囲】
【請求項１】
複数配列された状態で遊技機列を構成するとともに、当該遊技機列の中で個々の独立した遊技動作を実行する遊技機において、
遊技球を遊技領域に発射する発射手段と、
前記遊技領域に向けて前記発射手段により発射された遊技球を受入可能な始動口と、
少なくとも所定の識別情報の変動表示が行われる表示手段と、
前記遊技動作として遊技の進行を制御する主制御手段と、
前記主制御手段を補助する他の制御手段と、
を備える遊技機であって、
前記主制御手段は、
前記始動口への入賞を検出する始動入賞検出手段と、
前記始動入賞検出手段による検出を契機として内部的な抽選処理を実行可能な抽選手段と、
前記抽選手段の結果、前記内部的な抽選処理にて当選した場合に、遊技者にとって有利な特別遊技を実行する特別遊技実行手段と、
前記識別情報の変動表示の時間が異なる複数の変動表示情報を記憶する変動情報記憶手段と、
前記抽選手段の結果に応じて、前記変動情報記憶手段により記憶された複数の変動表示情報からいずれかの変動表示情報を選択決定する変動表示情報選択決定手段と、
前記主制御手段と配線接続されている前記他の制御手段に対して前記遊技動作情報が含まれるコマンドを送信するコマンド送信手段と、
を有し、
前記他の制御手段は、
前記コマンド送信手段により送信された前記コマンドを受信するコマンド受信手段と、
前記コマンド受信手段により受信したコマンドに含まれる情報に基づいて前記識別情報の変動表示を行うと共に、遊技者に対し期待感を募らせる所定の演出を前記表示手段に表示させうる表示制御手段と、
前記コマンドから得られる情報が当選の情報であった場合に、前記所定の演出とは異なる特定の期待演出を実行しうる期待演出実行手段と、
前記コマンド受信手段により受信したコマンドに含まれる情報に基づいて、前記特定の期待演出の開始時期を決定する期待演出開始時期決定手段と、
前記特定の期待演出に応じた演出を前記遊技機列を構成する他の遊技機に行わせるべく、前記特定の期待演出開始時期決定手段により決定された当該特定の期待演出の開始時期となったときに所定の波形信号を他の遊技機に向けて放出する波形信号放出手段と、
を有することを特徴とする遊技機。
【請求項２】
前記遊技機列として設置されるための枠体をさらに有しており、
前記波形信号放出手段は、
前記枠体に設けられると共に、
前記遊技機列に沿った配列方向における第１の方向に前記波形信号を放出する第１の波形信号放出手段と、
前記第１の方向とは反対向きの第２の方向に前記波形信号を放出する第２の波形信号放出手段と、を有する
ことを特徴とする請求項１に記載の遊技機。
【請求項３】
前記期待演出開始時期決定手段は、前記所定の演出が行われる間に前記特定の期待演出が終了するように、前記コマンド受信手段によって受信した前記変動表示情報に基づいて前記特定の期待演出の開始時期を決定する
ことを特徴とする請求項１または２に記載の遊技機。
【手続補正書】
【提出日】平成22年1月6日(2010.1.6)
【手続補正１】
【補正対象書類名】特許請求の範囲
【補正対象項目名】全文
【補正方法】変更
【補正の内容】
【特許請求の範囲】
【請求項１】
遊技機設置手段に独立するように設置固定されることで遊技機列を構成し、
前記遊技機列に属する別の遊技機から送信される信号を受信可能であって、当該信号を受信した場合、変動演出に並行して大当りを期待させるための期待演出を実行するように構成され、
遊技球を遊技領域に発射する発射手段と、
前記遊技領域に向けて前記発射手段により発射された遊技球が入球可能な始動口と、
少なくとも前記変動演出を実行するための画像表示手段と、
遊技の進行を制御する主制御手段と、
前記主制御手段に配線接続され、当該主制御手段からの指示に基づいて演出制御を行う周辺制御手段と
を備えた遊技機であって、
前記主制御手段は、
前記始動口への入球を検出する入球検出手段と、
前記入球検出手段による入球の検出に基づき、前記内部的な抽選を行う抽選手段と、
前記変動演出のパターンである複数の変動パターンを記憶する変動パターン記憶手段と、
前記抽選手段による抽選結果に応じ、前記変動パターン記憶手段から前記変動パターンを読み出し、当該変動パターンに基づく変動情報を前記周辺制御手段へ送出する変動情報送出手段と、
を少なくとも有し、
前記周辺制御手段は、
前記変動情報送出手段にて送出される前記変動情報に基づく変動演出を、前記画像表示手段を介して実行制御する画像表示制御手段と、
外部から送信される前記期待演出の実行を指示する演出指示信号を受信する信号受信手段と、
前記信号受信手段にて前記演出指示信号を受信した場合、前記内部の変動情報に基づく前記変動演出とは別に、外部からの前記演出指示信号に基づく前記期待演出を実行する演出実行手段と、
を少なくとも有することを特徴とする遊技機。
【請求項２】
前記演出指示信号は、内部的な抽選に当選した当選台から送信されてくる
ことを特徴とする請求項１に記載の遊技機。
【請求項３】
前記演出指示信号は、内部的な抽選に当選した当選台から都度異なるタイミングで送信されてくる
ことを特徴とする請求項２に記載の遊技機。
【手続補正書】
【提出日】平成22年1月6日(2010.1.6)
【手続補正１】
【補正対象書類名】特許請求の範囲
【補正対象項目名】全文
【補正方法】変更
【補正の内容】
【特許請求の範囲】
【請求項１】
遊技機設置手段に独立するように設置固定されることで遊技機列を構成し、
内部的な抽選に当選して当選台になると、変動演出に並行して大当りを期待させるための期待演出を実行可能であると共に、外部へ信号を送信可能となっており、
一方、前記遊技機列に属する別の遊技機から送信される信号を受信可能であって、当該信号を受信した場合にも、変動演出に並行して前記期待演出を実行するように構成され、
遊技球を遊技領域に発射する発射手段と、
前記遊技領域に向けて前記発射手段により発射された遊技球が入球可能な始動口と、
少なくとも前記変動演出を実行するための画像表示手段と、
遊技の進行を制御する主制御手段と、
前記主制御手段に配線接続され、当該主制御手段からの指示に基づいて演出制御を行う周辺制御手段と
を備えた遊技機であって、
前記主制御手段は、
前記始動口への入球を検出する入球検出手段と、
前記入球検出手段による入球の検出に基づき、前記内部的な抽選を行う抽選手段と、
前記変動演出のパターンである複数の変動パターンを記憶する変動パターン記憶手段と、
前記抽選手段による抽選結果に応じ、前記変動パターン記憶手段から前記変動パターンを読み出し、当該変動パターンに基づく変動情報を前記周辺制御手段へ送出する変動情報送出手段と、
を少なくとも有し、
前記周辺制御手段は、
前記変動情報送出手段にて送出される前記変動情報に基づく変動演出を、前記画像表示手段を介して実行制御する画像表示制御手段と、
前記抽選手段による抽選に当選した場合、さらに前記変動演出とは別の前記期待演出に係る実行制御を行うか否かを決定する実行決定手段と、
前記実行決定手段にて前記期待演出に係る実行制御を行う旨の決定がなされた場合、前記変動情報送出手段にて送出される変動情報に基づき、当選台の特定が困難となるよう都度異なるタイミングで、外部の遊技機に前記期待演出を実行させるための演出指示信号を送信する実行送信制御手段と、
を少なくとも有している
ことを特徴とする遊技機。
【請求項２】
前記実行送信制御手段は、当選台の特定が困難となるよう都度異なるタイミングで、所定のランプを点灯すると共に、外部の遊技機にも所定のランプを点灯させるための演出指示信号を送信する
ことを特徴とする請求項１に記載の遊技機。
【請求項３】
前記実行送信制御手段は、前記変動演出に対して予め定められる複数の開始タイミングの中のいずれかとして、前記タイミングを決定する
ことを特徴とする請求項１または請求項２に記載の遊技機。
【手続補正書】
【提出日】平成22年1月13日(2010.1.13)
【手続補正１】
【補正対象書類名】特許請求の範囲
【補正対象項目名】全文
【補正方法】変更
【補正の内容】
【特許請求の範囲】
【請求項１】
固定枠に対し左右一側部にて開閉可能に支持された扉体を備えるとともに、
鍵により操作される錠部材の動作に連動して、前記扉体の開放を規制する施錠状態と、前記扉体の開放を許容する解錠状態とに切換わる施錠装置が前記固定枠又は前記扉体の左右他側部に設けられる遊技機であって、
前記扉体の開放を検知する扉体開放検知手段を、少なくともその一部が前記錠部材の高さ位置又はそれより下方位置に位置し、かつ、前記施錠装置の近傍に又は前記施錠装置に略隣接した状態で配置したことを特徴とする遊技機。
【請求項２】
前記施錠装置の前記左右方向一側部側に前記扉体開放検知手段を配置したことを特徴とする請求項１に記載の遊技機。
【請求項３】
前記施錠装置に設けられた係合部と、当該係合部に対応して設けられた前記固定枠側又は前記扉体側の被係合部とが係合することにより、前記扉体が施錠状態となる構成であって、
前記扉体開放検知手段を、少なくともその一部が、前記係合部と前記被係合部とが係合する高さ位置に位置した状態で配置したことを特徴とする請求項２に記載の遊技機。
【請求項４】
固定枠に対し左右一側部にて開閉可能に支持された遊技機本体と、
前記遊技機本体の前面側において、当該遊技機本体に対し前記左右一側部にて開閉可能に支持された前扉体とを備えるとともに、
鍵により操作される錠部材と、前記固定枠に対し前記遊技機本体を施錠する本体施錠機構と、前記遊技機本体に対し前記前扉体を施錠する前扉体施錠機構とを具備し、前記鍵の第１の操作に応じた前記錠部材の動作に連動して前記本体施錠機構が施錠状態から解錠状態に切換わり、前記鍵の第２の操作に応じた前記錠部材の動作に連動して前記前扉体施錠機構が施錠状態から解錠状態に切換わる施錠装置が前記遊技機本体の左右他側部に沿って設けられる遊技機であって、
前記遊技機本体の開放を検知する本体開放検知手段と、前記前扉体の開放を検知する前扉体開放検知手段とを、少なくともその一部が前記錠部材の高さ位置又はそれより下方位置に位置し、かつ、前記施錠装置の近傍に又は前記施錠装置に略隣接した状態で配置したことを特徴とする遊技機。
【請求項５】
前記施錠装置の前記左右方向一側部側にて前記両開放検知手段を上下に並設したことを特徴とする請求項４に記載の遊技機。
【請求項６】
前記本体施錠機構に設けられた係合部と、当該係合部に対応して設けられた前記固定枠側の被係合部とが係合することにより、前記遊技機本体が施錠状態となり、
前記前扉体施錠機構に設けられた係合部と、当該係合部に対応して設けられた前記前扉体側の被係合部とが係合することにより、前記前扉体が施錠状態となる構成であって、
前記本体開放検知手段を、少なくともその一部が、前記本体施錠機構の係合部と前記固定枠の被係合部とが係合する高さ位置に位置した状態で配置し、
前記前扉体開放検知手段を、少なくともその一部が、前記前扉体施錠機構の係合部と前記前扉体の被係合部とが係合する高さ位置に位置した状態で配置しことを特徴とする請求項５に記載の遊技機。
【手続補正書】
【提出日】平成22年1月6日(2010.1.6)
【手続補正１】
【補正対象書類名】特許請求の範囲
【補正対象項目名】全文
【補正方法】変更
【補正の内容】
【特許請求の範囲】
【請求項１】
複数配列された状態で遊技機列を構成するとともに、当該遊技機列の中で個々の独立した遊技動作を実行する遊技機において、
遊技球を遊技領域に発射する発射手段と、
前記遊技領域に向けて前記発射手段により発射された遊技球を受入可能な始動口と、
少なくとも所定の識別情報の変動表示が行われる表示手段と、
前記遊技動作として遊技の進行を制御する主制御手段と、
前記主制御手段を補助する他の制御手段と、
を備える遊技機であって、
前記主制御手段は、
前記始動口への入賞を検出する始動入賞検出手段と、
前記始動入賞検出手段による検出を契機として内部的な抽選処理を実行可能な抽選手段と、
前記抽選手段の結果、前記内部的な抽選処理にて当選した場合に、遊技者にとって有利な特別遊技を実行する特別遊技実行手段と、
前記識別情報の変動表示の時間が異なる複数の変動表示情報を記憶する変動情報記憶手段と、
前記抽選手段の結果に応じて、前記変動情報記憶手段により記憶された複数の変動表示情報からいずれかの変動表示情報を選択決定する変動表示情報選択決定手段と、
前記主制御手段と配線接続されている前記他の制御手段に対して前記遊技動作情報が含まれるコマンドを送信するコマンド送信手段と、
を有し、
前記他の制御手段は、
前記コマンド送信手段により送信された前記コマンドを受信するコマンド受信手段と、
前記コマンド受信手段により受信したコマンドから得られる情報に基づいて前記識別情報の変動表示を行うと共に、遊技者に対し期待感を募らせる所定の演出を前記表示手段に表示させうる表示制御手段と、
前記所定の演出とは異なる特定の期待演出を実行しうる期待演出実行手段と、
当該遊技機外部から所定の波形信号を受信する波形信号受信手段と、
を有し、
前記期待演出実行手段は、
前記信号受信手段により前記所定の波形信号を受信した場合に、前記表示制御手段による自己の所定の演出とは別に、当該所定の波形信号に基づいて、前記他の遊技機と連動するタイミングで前記特定の期待演出を実行する、
ことを特徴とする遊技機。
【請求項２】
前記他の制御手段は、
前記波形信号受信手段により受信した前記所定の波形信号の振幅の減衰量に基づいて当該所定の波形信号を放出した遊技機からの距離に関連する位置情報を取得し、当該位置情報に基づき、前記連動タイミングを決定する連動タイミング決定手段、
をさらに有する
ことを特徴とする請求項１に記載の遊技機。
【請求項３】
前記連動タイミング決定手段は、前記位置情報に基づき、前記遊技機列における受信範囲の遊技機において前記特定の期待演出が順次実行されるように、前記連動タイミングを決定する
ことを特徴とする請求項２に記載の遊技機。
【手続補正書】
【提出日】平成22年1月12日(2010.1.12)
【手続補正１】
【補正対象書類名】特許請求の範囲
【補正対象項目名】全文
【補正方法】変更
【補正の内容】
【特許請求の範囲】
【請求項１】
本体部材と、この本体部材の裏面側で当該本体部材に対して開閉可能に支持される扉部材と、を備えた遊技機において、
前記本体部材は、その裏面側において、所定数の遊技媒体を取り込む投入装置を着脱自在としたものであり、
さらに、前記本体部材は、前記投入装置への遊技媒体の流入の可否を操作する操作レバーを備え、かつ、前記操作レバーを取込許可位置とすることで前記投入装置に遊技媒体が流入可能な状態となり、かつ、前記操作レバーを不許可位置とすることで前記投入装置を取り外す際の前記投入装置への遊技媒体の流入を阻止する状態となる球止め手段を備え、
前記扉部材は、当該扉部材を閉状態とする際に前記不許可位置の前記操作レバーに接触して当該操作レバーを前記取込許可位置に戻すように案内する案内手段を備えている
ことを特徴とする遊技機。
【請求項２】
本体枠と、この本体枠に対して開閉可能に支持される扉部材と、を備えた遊技機において、
前記扉部材は、その裏面側において、所定数の遊技媒体を取り込む投入装置を着脱自在としたものであり、
さらに、前記扉部材は、前記投入装置への遊技媒体の流入の可否を操作する操作レバーを備え、かつ、前記操作レバーを取込許可位置とすることで前記投入装置に遊技媒体が流入可能な状態となり、かつ、前記操作レバーを不許可位置とすることで前記投入装置を取り外す際の前記投入装置への遊技媒体の流入を阻止する状態となる球止め手段を備え、
前記本体枠は、前記扉部材を閉状態とする際に前記不許可位置の前記操作レバーに接触して当該操作レバーを前記取込許可位置に戻すように案内する案内手段を備えている
ことを特徴とする遊技機。
【請求項３】
請求項１または請求項２に記載の遊技機において、
前記案内手段は、前記扉部材を閉状態とする際に前記不許可位置の前記操作レバーに接触して当該操作レバーを前記取込許可位置に戻すように案内する接触案内面を備えている
ことを特徴とする遊技機。
【請求項４】
請求項３に記載の遊技機において、
遊技に関する内部状態を可変設定する遊技設定操作手段と、前記遊技設定操作手段の少なくともその操作面を覆うカバー部材とを備え、
前記案内手段は、前記カバー部材に前記接触案内面を備えたものであり、前記扉部材を閉状態とする際に前記不許可位置の前記操作レバーに前記接触案内面が接触して当該操作レバーを前記取込許可位置に戻すように案内するものである
ことを特徴とする遊技機。
【請求項５】
請求項４に記載の遊技機において、
前記遊技設定操作手段は、遊技者に対する遊技媒体の払出し率の設定を変更するための遊技設定キースイッチであり、
前記操作面は、前記遊技設定キースイッチのキー挿入面である
ことを特徴とする遊技機。
【請求項６】
請求項５に記載の遊技機において、
前記カバー部材は、前記扉部材が前記本体部材または前記本体枠に対して開いた状態において、前記遊技設定キースイッチに対して開閉自在となっており、
前記カバー部材の一部は、前記扉部材を閉状態とした状態において、前記取込許可位置の前記操作レバーに接触している
ことを特徴とする遊技機。
【請求項７】
請求項６に記載の遊技機において、
前記操作レバーは、正面視で長手形状であり、その基端側の所定箇所を回動軸心とし、前記基端側とは反対の先端側が前記回動軸心を中心として回動するように軸支されたものであり、前記不許可位置としての先端側が所定方向を向いた第１回動位置と、前記扉部材を閉状態とする際に前記カバー部材の前記接触案内面に接触することで前記第１回動位置から所定角度だけ先端側が回動した前記取込許可位置としての第２回動位置とに可変するものである
ことを特徴とする遊技機。
【手続補正書】
【提出日】平成22年1月22日(2010.1.22)
【手続補正１】
【補正対象書類名】特許請求の範囲
【補正対象項目名】全文
【補正方法】変更
【補正の内容】
【特許請求の範囲】
【請求項１】
可視域の治療用のレーザ光を連続波として出射可能な光源と、レーザ光を患者眼へ照射する照射光学系ユニットとを持つ眼科用レーザ治療装置において、
患者眼へのレーザ光の照射時間を５ミリ秒以下に制限可能であり、前記光源の駆動を制御するか、又は開閉シャッタを制御することにより、レーザ光の照射時間を制限する照射時間制限手段と、
光凝固治療モードと選択的レーザ繊維柱帯形成治療モード（以下、ＳＬＴ治療モードという）とを切換える治療モード選択手段と、
照射時間、スポットサイズ、レーザ出力を含む照射条件を設定する設定手段であって、照射時間は前記光凝固治療モードでは１０ミリ秒以上であり前記ＳＬＴ治療モードでは５ミリ秒以下の条件を充足し、前記それぞれの治療モードに対応して異なる設定範囲内で照射条件を設定可能な照射条件設定手段と、
該照射条件設定手段で設定された照射条件に基づいて装置の動作を制御する制御手段と、
を備えることを特徴とする眼科用レーザ治療装置。
【請求項２】
請求項１の眼科用レーザ治療装置において、前記照射条件設定手段は前記ＳＬＴ治療モードでは、単位面積当たりのエネルギ量の設定範囲が、色素細胞を少なくとも部分的に除去するとともに、組織へのダメージを抑制し、繊維柱帯での房水の排出機能を回復させる範囲であることを特徴とする眼科用レーザ治療装置。
【請求項３】
請求項２の眼科用レーザ治療装置において、前記単位面積当たりのエネルギ量の設定範囲は１．０〜８．５Ｊ／ｃｍ2であることを特徴とする眼科用レーザ治療装置。
【手続補正２】
【補正対象書類名】明細書
【補正対象項目名】０００４
【補正方法】変更
【補正の内容】
【０００４】
上記課題を解決するために、本発明は以下のような構成を備えることを特徴とする。
（１）  可視域の治療用のレーザ光を連続波として出射可能な光源と、レーザ光を患者眼へ照射する照射光学系ユニットとを持つ眼科用レーザ治療装置において、患者眼へのレーザ光の照射時間を５ミリ秒以下に制限可能であり、前記光源の駆動を制御するか、又は開閉シャッタを制御することにより、レーザ光の照射時間を制限する照射時間制限手段と、光凝固治療モードと選択的レーザ繊維柱帯形成治療モード（以下、ＳＬＴ治療モードという）とを切換える治療モード選択手段と、照射時間、スポットサイズ、レーザ出力を含む照射条件を設定する設定手段であって、照射時間は前記光凝固治療モードでは１０ミリ秒以上であり前記ＳＬＴ治療モードでは５ミリ秒以下の条件を充足し、前記それぞれの治療モードに対応して異なる設定範囲内で照射条件を設定可能な照射条件設定手段と、該照射条件設定手段で設定された照射条件に基づいて装置の動作を制御する制御手段と、を備えることを特徴とする。
（２）  （１）の眼科用レーザ治療装置において、前記照射条件設定手段は前記ＳＬＴ治療モードでは、単位面積当たりのエネルギ量の設定範囲が、色素細胞を少なくとも部分的に除去するとともに、組織へのダメージを抑制し、繊維柱帯での房水の排出機能を回復させる範囲であることを特徴とする。
（３）  （２）の眼科用レーザ治療装置において、前記単位面積当たりのエネルギ量の設定範囲は１．０〜８．５Ｊ／ｃｍ2であることを特徴とする。
【手続補正書】
【提出日】平成22年1月22日(2010.1.22)
【手続補正１】
【補正対象書類名】特許請求の範囲
【補正対象項目名】全文
【補正方法】変更
【補正の内容】
【特許請求の範囲】
【請求項１】
体外に置かれる体外装置と患者の体内に埋植される体内装置とを有し、患者の視覚を再生させる視覚再生補助装置において、
前記体外装置は、
外界を撮影する撮影装置と、
該撮影装置により得られた画像データを電気刺激パルス信号用データに変換する変調手段と、
前記電気刺激パルス信号用データと電力とを所定の信号に変換して送信する送信手段と、  を有し、
前記体内装置は、
前記送信手段から送信された前記信号を受信する受信手段と、
該受信手段により受信された前記信号から前記電気刺激パルス信号用データと前記電力とを抽出して所定の交流信号に変換する第１制御ユニットと、
該第１制御ユニットと離れた位置に分離されて設置され，前記第１制御ユニットからの前記交流信号に基づき複数の電極から電気刺激パルス信号を出力させる第２制御ユニットと、
前記第１制御ユニットと前記第２制御ユニットとを電気的に接続し，前記交流信号を送る，生体適合性及び絶縁性の有る樹脂で被膜された導線と、
を有することを特徴とする視覚再生補助装置。
【請求項２】
請求項１の視覚再生補助装置において、前記第１制御ユニットは、抽出された前記電気刺激パルス信号用データに基づき前記電気刺激パルス信号を生成し、生成された前記電気刺激パルス信号と電力とを前記交流信号に変換することを特徴とする視覚再生補助装置。
【請求項３】
請求項１又は２の視覚再生補助装置において、前記交流信号は、前記導線が体液に暴露されて浸潤された際に前記導線から放出される単位面積あたりの電荷量が、体液が電気分解しない程度となるように、半波あたりの電荷量が定められていることを特徴とする視覚再生補助装置。
【手続補正２】
【補正対象書類名】明細書
【補正対象項目名】０００４
【補正方法】変更
【補正の内容】
【０００４】
上記課題を解決するために、本発明は以下のような構成を備えることを特徴とする。
（１）  体外に置かれる体外装置と患者の体内に埋植される体内装置とを有し、患者の視覚を再生させる視覚再生補助装置において、
前記体外装置は、
外界を撮影する撮影装置と、
該撮影装置により得られた画像データを電気刺激パルス信号用データに変換する変調手段と、
前記電気刺激パルス信号用データと電力とを所定の信号に変換して送信する送信手段と、  を有し、
前記体内装置は、
前記送信手段から送信された前記信号を受信する受信手段と、
該受信手段により受信された前記信号から前記電気刺激パルス信号用データと前記電力とを抽出して所定の交流信号に変換する第１制御ユニットと、
該第１制御ユニットと離れた位置に分離されて設置され，前記第１制御ユニットからの前記交流信号に基づき複数の電極から電気刺激パルス信号を出力させる第２制御ユニットと、
前記第１制御ユニットと前記第２制御ユニットとを電気的に接続し，前記交流信号を送る，生体適合性及び絶縁性の有る樹脂で被膜された導線と、
を有することを特徴とする。
（２）  （１）の視覚再生補助装置において、前記第１制御ユニットは、抽出された前記電気刺激パルス信号用データに基づき前記電気刺激パルス信号を生成し、生成された前記電気刺激パルス信号と電力とを前記交流信号に変換することを特徴とする。
（３）  （１）又は（２）の視覚再生補助装置において、前記交流信号は、前記導線が体液に暴露されて浸潤された際に前記導線から放出される単位面積あたりの電荷量が、体液が電気分解しない程度となるように、半波あたりの電荷量が定められていることを特徴とする。
【手続補正書】
【提出日】平成22年1月26日(2010.1.26)
【手続補正１】
【補正対象書類名】明細書
【補正対象項目名】００６１
【補正方法】変更
【補正の内容】
【００６１】
この第４実施形態では、図８に示すように、遊技モード２で、大当たりの発生がないまま第２通常状態での遊技が継続した場合には、図１に示す通常状態切り替え手段１０が、大当たり発生がないまま連続した始動数１４回を計数して、その時点を、差玉が上記下限値を下回らない限界と判定し、第２制御手段８が、第２通常状態から第１通常状態に切り替える制御を行なう。
一方、遊技モード２で大当たりが発生し、その終了によって通常状態２ｂに遷移した場合には、通常状態切り替え手段１０が、始動数２２７回を計数して、その時点で、第２制御手段８が第１通常状態へ切り替えるようにする。
この始動数２２７回は、第２モードにおける第２大当たり状態が発生して、その出玉２２４１によって増加した差玉を、第２通常状態で消費する場合の始動数である。
【手続補正２】
【補正対象書類名】図面
【補正対象項目名】図８
【補正方法】変更
【補正の内容】
【図８】
2008183233.tif 000001
【手続補正書】
【提出日】平成21年12月9日(2009.12.9)
【手続補正１】
【補正対象書類名】特許請求の範囲
【補正対象項目名】全文
【補正方法】変更
【補正の内容】
【特許請求の範囲】
【請求項１】
体内に導入可能な大きさのカプセル形状を有する管腔通過確認装置であって、
体内で溶解する材料からなり、前記カプセル形状の構造体をなす溶解部と、
該溶解部の表面の一部に設けられた開口部と、
体内で溶解しない材料からなり、前記開口部を除く前記溶解部の表面を覆う薄膜を形成する非溶解部と、
を備え、前記非溶解部が前記溶解部によって形状が維持され、前記溶解部が溶解後に崩壊すると同時に前記非溶解部も崩壊することを特徴とする管腔通過確認装置。
【請求項２】
前記非溶解部は、多重の薄膜からなることを特徴とする請求項１に記載の管腔通過確認装置。
【請求項３】
体内で溶解しない材料からなり、前記溶解部内を分割して該溶解部中に表面の前記開口部から内部に進行する溶解経路を形成する第２の非溶解部を備えることを特徴とする請求項１または２に記載の管腔通過確認装置。
【請求項４】
前記第２の非溶解部は、カプセル形状の中心方向に伸展するように設けられていることを特徴とする請求項３に記載の管腔通過確認装置。
【請求項５】
体内で溶解しない材料からなり、前記溶解経路をさらに分割して細分化する第３の非溶解部を備えることを特徴とする請求項４に記載の管腔通過確認装置。
【請求項６】
前記第２の非溶解部の端部は、カプセル形状の表面において前記非溶解部の端部に繋がっていることを特徴とする請求項４または５に記載の管腔通過確認装置。
【請求項７】
被認識部を有することを特徴とする請求項１〜６のいずれか一つに記載の管腔通過確認装置。
【請求項８】
前記被認識部は、Ｘ線不透過材であることを特徴とする請求項７に記載の管腔通過確認装置。
【請求項９】
前記Ｘ線不透過材は、前記非溶解部の少なくとも一部に設けられていることを特徴とする請求項８に記載の管腔通過確認装置。
【請求項１０】
前記Ｘ線不透過材は、前記溶解部に内蔵されていることを特徴とする請求項８に記載の管腔通過確認装置。
【請求項１１】
前記Ｘ線不透過材は、複数個所に離間配置されていることを特徴とする請求項１０に記載の管腔通過確認装置。
【請求項１２】
前記被認識部は、前記溶解部に内蔵されたＲＦ−ＩＤタグであることを特徴とする請求項７に記載の管腔通過確認装置。
【請求項１３】
前記溶解部の少なくとも一部は、腸溶性材料からなることを特徴とする請求項１〜１２のいずれか一つに記載の管腔通過確認装置。
【請求項１４】
前記カプセル形状は、球型カプセル形状であることを特徴とする請求項１〜１３のいずれか一つに記載の管腔通過確認装置。
【請求項１５】
体内で溶解しない材料からなる前記非溶解部は、体内で溶解する時間が前記溶解部よりも長いことにより相対的に体内で溶解しない特性を示すことを特徴とする請求項１〜１４のいずれか一つに記載の管腔通過確認装置。
【請求項１６】
前記非溶解部は、前記溶解部に固着した状態で備えられていることを特徴とする請求項１〜１５のいずれか一つに記載の管腔通過確認装置。
【請求項１７】
前記溶解部は、Ｘ線不透過部材からなり、前記被認識部を兼ねることを特徴とする請求項８に記載の管腔通過確認装置。
【請求項１８】
前記被認識部を前記開口部からの距離が最も遠い位置に備えることを特徴とする請求項１０に記載の管腔通過確認装置。
【請求項１９】
前記開口部が複数個所備えられていることを特徴とする請求項１〜１８のいずれか一つに記載の管腔通過確認装置。
【請求項２０】
体内に導入可能な大きさのカプセル形状を有する管腔通過確認装置の製造方法であって、
体内で溶解する材料で前記カプセル形状の構造体を形成するステップと、
前記構造体の表面に、その一部を除いて体内で溶解しない材料で薄膜を形成するステップと、
からなることを特徴とする管腔通過確認装置の製造方法。
【請求項２１】
さらに、前記薄膜を前記構造体の表面に固着させるステップを含むことを特徴とする請求項２０に記載の管腔通過確認装置の製造方法。